【手続補正書】
【提出日】平成21年7月17日(2009.7.17)
【手続補正１】
【補正対象書類名】特許請求の範囲
【補正対象項目名】全文
【補正方法】変更
【補正の内容】
【特許請求の範囲】
【請求項１】
例文の音声とテキストとを対応づけて複数記憶する例文記憶手段と、
ユーザ操作により前記複数の例文中の何れかの語句を登録語として指定する登録語指定手段と、
前記登録語と前記複数の例文のうちの当該登録語の指定を受けた登録語含有例文とを対応付けて登録する登録語例文登録手段と、
各見出語に説明情報を対応付けて記憶する辞書情報記憶手段と、
前記見出語のうちの何れかの見出語を選択する見出語選択手段と、
この選択された見出語に対応する前記登録語を検索する登録語検索手段と、
この登録語検索手段により前記登録語が検索された場合に、前記選択された見出語の前記説明情報とともに当該選択された見出語に対応する例文音声が有る旨の例文音声有表示を行う例文音声有表示手段と、
この例文音声有表示が行われた状態で、ユーザ操作に応じて前記登録語例文登録手段に登録された前記登録語含有例文を音声出力させる音声出力制御手段と、
を備えることを特徴とする音声出力装置。
【請求項２】
請求項１記載の音声出力装置において、
前記音声出力制御手段は、
前記登録語含有例文中での前記登録語のみを音声出力させる登録語音声出力制御手段を有することを特徴とする音声出力装置。
【請求項３】
請求項２記載の音声出力装置において、
前記音声出力制御手段は、
前記登録語を音声出力させた後、この登録語に対応する前記登録語含有例文を音声出力させる出力順序制御手段を有することを特徴とする音声出力装置。
【請求項４】
請求項１〜３の何れか一項に記載の音声出力装置において、
前記例文記憶手段に記憶された前記複数の例文の音声を音声出力する音声出力手段を備え、
前記登録語指定手段は、
ユーザ操作された時点で前記音声出力手段により音声出力されている語句を前記登録語として指定する出力語句指定手段を有することを特徴とする音声出力装置。
【請求項５】
請求項１〜４の何れか一項に記載の音声出力装置において、
外部音声を録音する録音手段を備え、
前記登録語指定手段は、
ユーザ操作された時点で前記録音手段により録音されている語句を前記登録語として指定する録音語句指定手段を有することを特徴とする音声出力装置。
【請求項６】
請求項１〜５の何れか一項に記載の音声出力装置において、
各例文を表示する例文表示手段を備え、
前記登録語指定手段は、
前記例文表示手段により表示された例文中の語句をユーザ操作により前記登録語として指定する表示語句指定手段を有することを特徴とする音声出力装置。
【請求項７】
請求項６記載の音声出力装置において、
前記例文表示手段は、
前記音声出力制御手段による音声出力中に前記登録語含有例文を表示させるとともに、表示された当該登録語含有例文の各単語を、当該単語の音声出力タイミングで識別表示することを特徴とする音声出力装置。
【請求項８】
コンピュータに、
例文の音声とテキストとを対応づけて複数記憶する例文記憶機能と、
ユーザ操作により前記複数の例文中の何れかの語句を登録語として指定する登録語指定機能と、
前記登録語と前記複数の例文のうちの当該登録語の指定を受けた登録語含有例文とを対応付けて登録する登録語例文登録機能と、
各見出語に説明情報を対応付けて記憶する辞書情報記憶機能と、
前記見出語のうちの何れかの見出語を選択する見出語選択機能と、
この選択された見出語に対応する前記登録語を検索する登録語検索機能と、
この登録語検索機能により前記登録語が検索された場合に、前記選択された見出語の前記説明情報とともに当該選択された見出語に対応する例文音声が有る旨の例文音声有表示を行う例文音声有表示機能と、
この例文音声有表示が行われた状態で、ユーザ操作に応じて前記登録語例文登録機能により登録された前記登録語含有例文を音声出力させる音声出力制御機能と、
を実現させることを特徴とする音声出力プログラム。
【手続補正２】
【補正対象書類名】明細書
【補正対象項目名】０００７
【補正方法】変更
【補正の内容】
【０００７】
請求項１記載の発明は、音声出力装置（例えば、図１の電子辞書装置１）であって、
例文の音声とテキストとを対応づけて複数記憶する例文記憶手段（例えば、図３の登録語例文記憶テーブル８０、図６のステップＳ１４）と、
ユーザ操作により前記複数の例文中の何れかの語句を登録語として指定する登録語指定手段（例えば、図２の入力部５；図６のステップＳ１６）と、
前記登録語と前記複数の例文のうちの当該登録語の指定を受けた登録語含有例文とを対応付けて登録する登録語例文登録手段（例えば、図６のステップＳ１７）と、
各見出語に説明情報を対応付けて記憶する辞書情報記憶手段（例えば、図２の辞書データベース８４ａ）と、
前記見出語のうちの何れかの見出語を選択する見出語選択手段（例えば、図７のステップＳ２１）と、
この選択された見出語に対応する前記登録語を検索する登録語検索手段（例えば、図７のステップＳ２３、明細書［００６０］）と、
この登録語検索手段により前記登録語が検索された場合に、前記選択された見出語の前記説明情報とともに当該選択された見出語に対応する例文音声が有る旨の例文音声有表示を行う例文音声有表示手段（例えば、図６のステップＳ１８、Ｓ１９）と、
この例文音声有表示が行われた状態で、ユーザ操作に応じて前記登録語例文登録手段に登録された前記登録語含有例文を音声出力させる音声出力制御手段（例えば、図２のＣＰＵ６及び音声出力プログラム８３；図７のステップＳ２７）と、
を備えることを特徴とする。
【手続補正３】
【補正対象書類名】明細書
【補正対象項目名】０００９
【補正方法】変更
【補正の内容】
【０００９】
請求項２記載の発明は、請求項１記載の音声出力装置において、
前記音声出力制御手段は、
前記登録語含有例文中での前記登録語のみを音声出力させる登録語音声出力制御手段（例えば、図２のＣＰＵ６及び音声出力プログラム８３；図７のステップＳ２５）を有することを特徴とする。
【手続補正４】
【補正対象書類名】明細書
【補正対象項目名】００１０
【補正方法】変更
【補正の内容】
【００１０】
請求項３記載の発明は、請求項２記載の音声出力装置において、
前記音声出力制御手段は、
前記登録語を音声出力させた後、この登録語に対応する前記登録語含有例文を音声出力させる出力順序制御手段（例えば、図２のＣＰＵ６及び音声出力プログラム８３；図７のステップＳ２５，Ｓ２７）を有することを特徴とする。
【手続補正５】
【補正対象書類名】明細書
【補正対象項目名】００１１
【補正方法】変更
【補正の内容】
【００１１】
請求項４記載の発明は、請求項１〜３の何れか一項に記載の音声出力装置において、
前記例文記憶手段に記憶された前記複数の例文の音声を音声出力する音声出力手段（例えば、図２の音声出力部３；図７のステップＳ２５，Ｓ２７）を備え、
前記登録語指定手段は、
ユーザ操作された時点で前記音声出力手段により音声出力されている語句を前記登録語として指定する出力語句指定手段（例えば、図２の入力部５；図１５（ｂ）〜（ｄ））を有することを特徴とする。
【手続補正６】
【補正対象書類名】明細書
【補正対象項目名】００１４
【補正方法】変更
【補正の内容】
【００１４】
請求項７記載の発明は、請求項６記載の音声出力装置において、
前記例文表示手段は、
前記音声出力制御手段による音声出力中に前記登録語含有例文を表示させるとともに、表示された当該登録語含有例文の各単語を、当該単語の音声出力タイミングで識別表示することを特徴とする。
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
請求項８記載の発明は、音声出力プログラム（例えば、図２の音声出力プログラム８３）であって、
コンピュータ（例えば、図１の電子辞書装置１）に、
例文の音声とテキストとを対応づけて複数記憶する例文記憶機能と、
ユーザ操作により前記複数の例文中の何れかの語句を登録語として指定する登録語指定機能と、
前記登録語と前記複数の例文のうちの当該登録語の指定を受けた登録語含有例文とを対応付けて登録する登録語例文登録機能と、
各見出語に説明情報を対応付けて記憶する辞書情報記憶機能と、
前記見出語のうちの何れかの見出語を選択する見出語選択機能と、
この選択された見出語に対応する前記登録語を検索する登録語検索機能と、
この登録語検索機能により前記登録語が検索された場合に、前記選択された見出語の前記説明情報とともに当該選択された見出語に対応する例文音声が有る旨の例文音声有表示を行う例文音声有表示機能と、
この例文音声有表示が行われた状態で、ユーザ操作に応じて前記登録語例文登録機能により登録された前記登録語含有例文を音声出力させる音声出力制御機能と、
を実現させることを特徴とする。
【手続補正１０】
【補正対象書類名】明細書
【補正対象項目名】００１９
【補正方法】変更
【補正の内容】
【００１９】
請求項１，８記載の発明によれば、ユーザ操作により複数の例文中の何れかの語句が登録語として指定され、この登録語と、複数の例文のうちの当該登録語の指定を受けた登録語含有例文とが対応付けて記憶され、見出語が選択されると、選択された見出語に対応する登録語が検索され、登録語が検索された場合に選択された見出語の説明情報とともに当該選択された見出語に対応する例文音声が有る旨の例文音声有表示がされ、この状態でユーザ操作に応じて登録語含有例文を音声出力させることができるので、登録語に対応付けて登録語含有例文を記憶させ、見出語検索で、説明情報が表示された状態で、見出語と同じ登録語を含む例文を音声出力することができる。従って、登録語が文中での用いられ方に応じて標準的な発音ではなく、変則的な発音や強弱の変化した発音となるときであっても、音声出力対象の例文が単語等の語句に対応付けられていない従来の場合と異なり、この登録語を例文と確実に対応付けて見出語の学習に用いることができるため、例文中で用いられている当該登録語の変則的な発音や強弱の変化した発音について、学習効果を高めることができる。
【手続補正１１】
【補正対象書類名】明細書
【補正対象項目名】００２０
【補正方法】変更
【補正の内容】
【００２０】
請求項２記載の発明によれば、登録語含有例文が音声出力されるのに加え、登録語含有例文中での登録語のみが音声出力されるので、登録語の変則的な発音や強弱の変化した発音について、学習効果をいっそう高めることができる。
【手続補正１２】
【補正対象書類名】明細書
【補正対象項目名】００２１
【補正方法】変更
【補正の内容】
【００２１】
請求項３記載の発明によれば、登録語が音声出力された後、登録語含有例文が音声出力されるので、登録語の変則的な発音や強弱の変化した発音についての学習効果をいっそう高めることができる
【手続補正１３】
【補正対象書類名】明細書
【補正対象項目名】００２５
【補正方法】変更
【補正の内容】
【００２５】
請求項７記載の発明によれば、音声出力中に登録語含有例文が表示されるとともに、表示された登録語含有例文中の各単語が当該単語の音声出力タイミングで識別表示されるので、登録語の変則的な発音や強弱の変化した発音について、学習効果をいっそう高めることができる。
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】